(57)【要約】      （修正有）【課題】従来と同一の機構を用いながら、測定データの格納手段から読み出された全ての測定データを、従来よりも高速で短時間に、記録紙上に記録できるドット形レコーダを提供する。【解決手段】幅方向に色帯が異なるようにインクで染め分けられたリボンを記録紙の送り方向に沿って揺動させて記録色の切り換えを行うとともに記録紙の送り方向と直交する方向にリボン送りを行い、ワイヤドットよりなる記録ペンを記録紙の幅方向に往復移動させながら記録位置でインクリボンの各測定チャネルに割り当てられた所定の色帯を記録紙に打ち付けるように選択的に駆動するドット形レコーダにおいて、格納手段２１に格納された各測定チャネルの測定データの再生記録にあたり、各測定チャネルのそれぞれの記録周期間における測定データの最大値と最小値間をドットにより直線的に補間記録することを特徴とする。【選択図】図１
2015175605.tif 000002
【特許請求の範囲】
【請求項１】
幅方向に色帯が異なるようにインクで染め分けられたリボンを記録紙の送り方向に沿って揺動させて記録色の切り換えを行うとともに記録紙の送り方向と直交する方向にリボン送りを行い、ワイヤドットよりなる記録ペンを記録紙の幅方向に往復移動させながら記録位置でインクリボンの各測定チャネルに割り当てられた所定の色帯を記録紙に打ち付けるように選択的に駆動するドット形レコーダにおいて、
格納手段に格納された各測定チャネルの測定データの再生記録にあたり、各測定チャネルのそれぞれの記録周期間における測定データの最大値と最小値間をドットにより直線的に補間記録することを特徴とするドット形レコーダ。
【請求項２】
前記記録ペンと対向する前記インクリボンの色帯を一方の色帯から他方の色帯に向かって所定の方向に順次切り替えながら前記ドットデータの記録を行い、他方の色帯による印字が完了すると一方の色帯が前記記録ペンと対向するように前記インクリボンの位置を戻すことを特徴とする請求項１記載のドット形レコーダ。
【請求項３】
前記測定データは測定時刻データとともにメモリに格納されていることを特徴とする請求項１記載のドット形レコーダ。
【発明の詳細な説明】
【技術分野】
【０００１】
本発明は、ドット形レコーダに関し、詳しくは、ドット記録動作の制御に関するものである。
【背景技術】
【０００２】
記録紙を用いたレコーダは、記録紙に記録された測定結果を必要なときにいつでも読めることから、レコーダのペーパーレス化が進んではいるものの、各種の分野で広く用いられている。
【０００３】
記録紙を用いたレコーダの一種に、複数の測定チャネルの測定信号の変化を共通の記録ペンを用いてドット記録するように構成されたドット形レコーダがある。
【０００４】
特許文献１には、ドット形レコーダであって、幅方向に色帯が異なるようにインクで染め分けられたリボンを記録紙の送り方向に沿って揺動させて記録色の切り換えを行うとともに記録紙の送り方向と直交する方向にリボン送りを行い、ワイヤドットよりなる記録ペンを記録紙の幅方向に往復移動させながら、各測定チャネルの測定データの値に対応する位置でインクリボンの各測定チャネルに割り当てられた所定の色帯を記録紙に打ち付けるように記録ペンを選択的に駆動するようにした発明が開示されている。
【０００５】
図６は従来のドット形レコーダの一例を示す概念ブロック図、図７は記録部分の要部構成図である。測定部１０において、図示しないＡ／Ｄ変換器は所定の測定周期（たとえば２．５秒）でアナログ入力信号をデジタル信号に変換出力するものであり、各測定チャネルのアナログ入力信号が順次切り換えて入力される。このＡ／Ｄ変換器の出力データは測定データとしてＲＡＭ２０に格納される。ＲＡＭ２０に格納された測定データは、ユーザーが設定する記録周期で記録ペン駆動系３０によってドット記録される。なお、ＲＡＭ２０には、測定データの他に、測定条件などの可変パラメータも格納される。
【０００６】
記録ペン駆動系３０は、ワイヤドットよりなる記録ペンＡでインクリボンＢを記録紙４３に打ち付けるように構成されている。すなわち、リボン制御部３１とリボン駆動機構３２は、幅方向に色帯が異なるようにインクで染め分けられたリボンＢを記録紙４３の送り方向Ｘに沿って揺動させて記録色の切り換えを行うとともに、記録紙４３の送り方向Ｘと直交する方向Ｙにリボン送りを行う。
【０００７】
記録ペン制御部３３と記録ペン駆動機構３４は、記録ペンＡを記録紙４３の幅方向に沿った０％と１００％の間で往復移動させながら、各測定チャネルの測定データの値に対応する位置でインクリボンＢの各測定チャネルに割り当てられた所定の色帯を記録紙４３に打ち付けるように記録ペンＡを選択的に駆動する。記録周期は前述のように作業者が任意に設定できるものであり、記録紙４３の送り速度と関連して設定される。
【０００８】
記録紙駆動系４０は、記録紙制御部４１と記録紙モータ４２と記録紙４３とで構成されている。記録紙４３は、記録紙制御部４１により回転速度が制御される記録紙モータ４２により、作業者が設定する所定の速度で繰り出される。
【０００９】
設定操作部５０は、各測定チャネルにおける測定レンジや警報設定値や記録紙送り速度などの測定条件を設定するためのものであり、文字記号類を入力するためのキーボードや設定値のアップダウンを制御するスイッチやロータリーエンコーダなどが操作パネルとして設けられている。作業者は、表示部６０の表示情報を参照しながら設定操作部５０を操作する。
【００１０】
ＲＯＭ７０には、装置全体の動作を制御するためのプログラムや固定パラメータが格納されている。
【００１１】
外部メモリ８０としては、フロッピー（登録商標）ディスクやＩＣカードなどのリムーバルメモリが用いられる。
【００１２】
通信インタフェース９０は、外部装置との間で制御信号や測定データの授受を行うために用いられる。
【００１３】
ＣＰＵ１００は、測定データに対して移動平均演算などの各種の演算処理を行うとともに、装置全体を統括制御する。
【００１４】
ドット記録について説明する。なお、以下の説明では、記録紙４３の有効記録幅が１００ｍｍ、入力は６チャネル、測定周期を１秒、トレンド記録周期を１チャネル／５秒（３０秒／６チャネル）とする。ドット記録にあたっては、図８に示すように、トレンド記録周期毎に直前の測定結果を記録する。すなわち、測定＃０直後のトレンド記録周期では、測定＃０における１〜６チャネルの測定結果に含まれる測定チャネルｃｈ１の測定値が記録される。測定＃５直後のトレンド記録周期では、測定＃５における１〜６チャネルの測定結果に含まれる測定チャネルｃｈ２の測定値が記録される。このようにして、１５秒後の測定＃１５直後のトレンド記録周期では、測定＃１５における１〜６チャネルの測定結果に含まれる測定チャネルｃｈ４の測定値が記録される。
【００１５】
ドット記録動作にあたっては、以下の６ステップが測定チャネル毎に繰り返して実行処理される。
Ｓ１）リボンＢの揺動シフトによる測定チャネルに割り当てられた記録色の選択
Ｓ２）記録ペンＡの走査(移動)開始
Ｓ３）測定値に応じた記録位置での記録ペンによるドット記録
Ｓ４）端部到達による記録ペンＡの停止
Ｓ５）リボンＢの揺動シフトによる初期位置戻し
Ｓ６）記録紙４３の所定長さ送り
【００１６】
測定チャネル１の測定値を紫色で記録し、測定チャネル２の測定値を赤色で記録し、測定チャネル３の測定値を緑色で記録し、測定チャネル４の測定値を青色で記録し、測定チャネル５の測定値を茶色で記録し、測定チャネル６の測定値を黒色で記録するように測定チャネルの記録色が割り当てられているものとすると、図９に示すような動作シーケンスを繰り返して実行する。
【００１７】
ところで、このようなレコーダの利用形態として、ＲＡＭ２０や外部メモリ８０に格納されている測定データに基づいて、複数の測定チャネルの測定信号の変化の状況を記録紙４３上に再生記録することも行われている。
【００１８】
具体的には、ＲＡＭ２０や外部メモリ８０に格納されている測定データの再生記録にあたっては、これらの測定データが現在レコーダに設定されているトレンド記録周期のタイミングで読み出されて記録紙４３上に記録される。すなわち、リアルタイムの測定データの代わりに、ＲＡＭ２０や外部メモリ８０から読み出された測定データを使用する。再生記録時の紙送り速度・記録周期は、再生記録時におけるレコーダ本体の設定値となる。
【先行技術文献】
【特許文献】
【００１９】
【特許文献１】特開２００８−２２９９２８号公報
【発明の開示】
【発明が解決しようとする課題】
【００２０】
しかし、このような従来の構成によれば、リアルタイムの測定時と同一の測定記録条件で再生記録を行うことから、リアルタイム測定時に要した測定時間と等しい長さの時間を要することになるという問題がある。
【００２１】
そして、記録紙上にトレンド記録される測定データに着目すると、トレンド記録される測定データはトレンド記録のタイミングにおいて該当する測定チャネルの測定データのみであり、その他の測定データは廃棄されることから、記録紙上の再生記録結果から各測定チャネルの測定データの連続性を的確に把握することは困難であるという問題もある。
【００２２】
本発明は、このような従来の問題点に着目したものであり、その目的は、従来と同一の機構を用いながら、測定データの格納手段から読み出された全ての測定データを、従来よりも高速で短時間に、記録紙上に記録できるドット形レコーダを提供することにある。
【課題を解決するための手段】
【００２３】
このような課題を達成する請求項１の発明は、
幅方向に色帯が異なるようにインクで染め分けられたリボンを記録紙の送り方向に沿って揺動させて記録色の切り換えを行うとともに記録紙の送り方向と直交する方向にリボン送りを行い、ワイヤドットよりなる記録ペンを記録紙の幅方向に往復移動させながら記録位置でインクリボンの各測定チャネルに割り当てられた所定の色帯を記録紙に打ち付けるように選択的に駆動するドット形レコーダにおいて、
格納手段に格納された各測定チャネルの測定データの再生記録にあたり、各測定チャネルのそれぞれの記録周期間における測定データの最大値と最小値間をドットにより直線的に補間記録することを特徴とする。
【００２４】
請求項２の発明は、請求項１記載のドット形レコーダにおいて、
前記記録ペンと対向する前記インクリボンの色帯を一方の色帯から他方の色帯に向かって所定の方向に順次切り替えながら前記ドットデータの記録を行い、他方の色帯による印字が完了すると一方の色帯が前記記録ペンと対向するように前記インクリボンの位置を戻すことを特徴とする。
【００２５】
請求項３の発明は、請求項１記載のドット形レコーダにおいて、
前記測定データは測定時刻データとともにメモリに格納されていることを特徴とする。
【発明の効果】
【００２６】
これらにより、格納手段に格納された各測定チャネルの測定データを、各測定チャネルのそれぞれの記録周期間における測定データの最大値と最小値間をドットにより直線的に補間記録することにより再生記録できるドット形レコーダが実現できる。
【図面の簡単な説明】
【００２７】
【図１】本発明に基づきＲＡＭ２０に設けられるデータ格納部のデータ構成例図である。
【図２】記録ペン駆動系３０を構成するワイヤドットの径と記録紙４３の紙送り分解能との関係説明図である。
【図３】１ｃｈの最小値−最大値再生記録説明図である。
【図４】６チャネル・６色による測定データの最大値と最小値の再生記録説明図である。
【図５】ＲＡＭ２０の事象データ格納領域の具体例図である。
【図６】従来のドット形レコーダの一例を示す概念ブロック図である。
【図７】記録部分の要部構成図である。
【図８】ドット記録のタイミングチャートである。
【図９】ドット記録の動作シーケンス説明図である。
【発明を実施するための最良の形態】
【００２８】
以下、本発明について、図面を用いて説明する。本発明の基本構成は図６に示す従来のドット形レコーダと共通しているので省略するが、本発明の特徴は、図１に示すように、ＲＡＭ２０に設けられるデータ格納部のデータ構成にある。
【００２９】
すなわち、図１のＲＡＭ２０には、（Ａ）に示す測定データ格納部２１、（Ｂ）に示すメモリ格納スタート／ストップの時刻データ格納部２２、（Ｃ）に示すサンプル周期（測定周期）格納部２３、（Ｄ）に示す紙送り速度格納部２４、（Ｅ）に示す各測定チャネルの左右記録スパン設定値格納部２５などが設けられている。
【００３０】
操作パネルまたは通信などから測定データのメモリ格納スタートが起動されると、時刻データ格納部２２にメモリ格納スタートの日付時刻データが格納され、さらに、サンプル周期（測定周期）、紙送り速度、記録スパンなどの各種の設定値がそれぞれに割り付けられたメモリ領域に格納される。
【００３１】
その後、サンプル周期（測定周期）ごとに、各チャネルの測定データが測定データ格納部２１に格納される。
【００３２】
そして、操作パネルまたは通信などから測定データのメモリ格納ストップが通知されると、時刻データ格納部２２にメモリ格納ストップの日付時刻データが格納され、各チャネルの測定データの格納を停止する。
【００３３】
ここで、記録ペン駆動系３０を構成するワイヤドットの径をたとえば０．５ｍｍ、記録紙４３の紙送り分解能をたとえば０．０５ｍｍとする。
【００３４】
そして、サンプル周期（測定周期）が１秒、紙送り速度が２０ｍｍ／ｈ、紙送り方向の分解能を０．２５ｍｍとすると、ワイヤドットの径が０．５ｍｍであることから、図２に示すように紙送り方向に対してドット径の半分を重複させることにより、実用上なめらかなアナログ記録とみなせる。
【００３５】
再生する紙送り速度(２０ｍｍ／ｈ)で、紙送り方向の再生分解能(０．２５ｍｍ)の時間間隔は、
３６００(秒)＊紙送り方向の再生分解能（ｍｍ）／再生紙送り速度（ｍｍ/ｈ）
で表すことができる。
【００３６】
この式に前述の各設定値例を代入すると、
３６００(秒)＊０．２５(ｍｍ)／２０（ｍｍ/ｈ）＝４５秒
になる。
【００３７】
図３に示す測定チャネルｃｈ１の例を用いて、測定データの最大値と最小値の再生記録について説明する。
紙送り方向の再生分解能(０．２５ｍｍ)の時間間隔／サンプル周期（測定周期）
の間における最小値−最大値演算を行う。
上記設定例の場合、
４５(秒)／１(秒)＝４５個
になる。
【００３８】
データ１からデータ４５の最小値−最大値演算を行い、その結果を記録紙上に直線補間記録し、紙送り方向の再生分解能の紙送り（０．２５ｍｍ）を行う。
【００３９】
次に、データ４６からデータ９０の最小値−最大値演算を行い、その結果を記録紙上に直線補間記録し、紙送り方向の再生分解能の紙送り（０．２５ｍｍ）を行う。
以下、同様の動作を繰り返して、格納されたデータ分を再生記録する。
【００４０】
図３では、わかりやすく説明するため１ｃｈの最小値−最大値の再生記録の例について説明したが、実際の記録計は多チャネル・多色記録であり、たとえば６チャネル・６色の場合には図４に示すような記録動作になる。
【００４１】
図４において、たとえば紫色に指定されたチャネルのデータ１からデータ４５の最小値−最大値演算を行い、その結果を記録用バッファに展開して記録紙上に記録する。黒色、緑色、青色、茶色、赤色についても同様に記録を行い、紙送り方向の再生分解能の紙送り（０．２５ｍｍ）を行う。なお、図４の記録動作では、指定チャネルのトレンド記録とともにデジタル印字記録も行う例を示している。
【００４２】
紫色に指定されたチャネルのデータ４６からデータ９０についてもデータ１からデータ４５と同様な最小値−最大値演算と記録紙上への記録を行い、さらに黒色、緑色、青色、茶色、赤色についても同様に記録を行って、紙送り方向の再生分解能の紙送り（０．２５ｍｍ）を行う。
【００４３】
なお、記録ペンＡの記録紙４３の幅方向に沿った０％と１００％の間における往復移動に伴うとびを防ぐため、２回目のデータからは、最小値−最大値演算のとき、対象範囲のデータＸｎからＸｎ＋ｍに、Ｘｎ−１のデータを含めて最小値−最大値演算を行う。
図３に示す実施例の場合には、データ４５とデータ４６からデータ９０の最小値−最大値演算を行えばよい。
【００４４】
直線補間記録にあたっては、図示しないＲＡＭ２０の色指定データ格納部に格納されている紫色の色指定データにしたがって紫色に指定された測定チャネルの図示しない直線補間用位置データ格納部からその測定チャネルの最小値と最大値を読み出し、図示しないオンオフデータ格納部の最小値の位置データに対応した位置から最大値の位置データに対応した位置までの間の記録位置で記録ペンをオン駆動するためのデータたとえば「１」を格納する。
【００４５】
なお、上記実施例では、再生記録の紙送り速度は、メモリ格納時の紙送り速度としているが、再生記録時の紙送り速度を操作パネルや通信などで設定するようにしてもよい。
【００４６】
また、紙送り方向の再生分解能(０．２５ｍｍ)を固定値としているが、操作パネルまたは通信などで設定される再生分解能で再生記録を行うようにしてもよい。ただし、再生分解能は、紙送りの送り分解能(０．０５ｍｍ)の整数倍とする。
【００４７】
また、紙送り方向の再生分解能(０．２５ｍｍ)の時間間隔／サンプル周期（測定周期）の間の平均値演算を行い、ドット記録（１点のドット）するようにしてもよい。
【００４８】
また、紙送り方向の再生分解能(０．２５ｍｍ)の時間間隔／サンプル周期（測定周期）ごとのデータ（たとえばデータ４５、９０、１３５、・・）をドット記録するようにしてもよい。この場合、ドット記録以外のデータは記録されないことになる。
【００４９】
アラームやメッセージの印字再生記録について説明する。
これらの事象が発生したとき、図１のＲＡＭ２０のアラーム事象データ格納領域２６には図５（Ａ）に示すようなアラーム事象データが格納され、メッセージ事象データ格納領域２７には図５（Ｂ）に示すようなメッセージ事象データが格納される。
【００５０】
再生記録のとき、メモリスタート日付・時刻とサンプル周期（測定周期）、メモリ測定データの読み出し位置（サンプルＸ番目）などから、読み出しデータの日付・時刻を演算し、その日付・時刻と、事象メモリに格納された日付・時刻が一致したとき、その事象の各データをもとに印字文字列を展開し、トレンド記録とともに、アラーム印字やメッセージ印字などのデジタル印字を行う。
【００５１】
以上説明したように、本発明によれば、従来と同一の機構を用いながら、測定データの格納手段から読み出された全ての測定データを、従来よりも高速で短時間に、記録紙上に記録できるドット形レコーダが実現できる。
【符号の説明】
【００５２】
１０  測定部
２０  ＲＡＭ
２１  測定データ格納部
２２  時刻データ格納部
２３  サンプル周期（測定周期）格納部
２４  紙送り速度格納部
２５  左右記録スパン設定値格納部
２６  アラーム事象データ格納領域26
２７  メッセージ事象データ格納領域
３０  記録ペン駆動系
４０  記録紙駆動系
４３  記録紙
５０  設定操作部
６０  表示部
７０  ＲＯＭ
８０  外部メモリ
９０  通信インタフェース
１００  ＣＰＵ
【図１】
2015175605.tif 000003
【図２】
2015175605.tif 000004
【図３】
2015175605.tif 000005
【図４】
2015175605.tif 000006
【図５】
2015175605.tif 000007
【図６】
2015175605.tif 000008
【図７】
2015175605.tif 000009
【図８】
2015175605.tif 000010
【図９】
2015175605.tif 000011